(57)【要約】【課題】  眉毛を保養することによって、健やかな眉毛が得られる眉毛保養セットを提供する。【解決手段】  包装袋と、第一収容皿と、第二収容皿とを有し、該包装袋に第一収容部と第二収容部が設けられ、第一収容部に第一収容皿を収容すると共に、第二収容部に第二収容皿を収容し、  前記第一収容皿の上面に二つの眉毛膜収容部が形成され、該眉毛膜収容部の一側に指差し溝が形成されると共に、内部に眉毛膜が収容され、  前記第二収容皿の上面にブラシ収容部が形成され、このブラシ収容部の内部に眉毛ブラシが設けられ、該眉毛ブラシの一側に軟質ブラシ部が設けられると共に、他側に硬質ブラシ部が設けられることを特徴とする。【選択図】  図１
0003104428.tif 000002
【実用新案登録請求の範囲】
【請求項１】
包装袋と、第一収容皿と、第二収容皿とを有し、該包装袋に第一収容部と第二収容部が設けられ、第一収容部に第一収容皿を収容すると共に、第二収容部に第二収容皿を収容し、
前記第一収容皿の上面に二つの眉毛膜収容部が形成され、該眉毛膜収容部の一側に指差し溝が形成されると共に、内部に眉毛膜が収容され、
前記第二収容皿の上面にブラシ収容部が形成され、このブラシ収容部の内部に眉毛ブラシが設けられ、該眉毛ブラシの一側に軟質ブラシ部が設けられると共に、他側に硬質ブラシ部が設けられることを特徴とする眉毛保養セット。
【請求項２】
前記第一収容皿の上部に上カバーが設けられ、該上カバーの下面に第一収容皿における眉毛膜収容部と指差し溝に押圧する位置決め部が設けられることを特徴とする請求項１に記載の眉毛保養セット。
【請求項３】
前記眉毛膜は漢方の保養液、ナノマイナスイオン及び遠赤外線効果を有し、眉毛ブラシの一端に遠赤外線効果を有するゴムカバーが設けられることを特徴とする請求項１又は２に記載の眉毛保養セット。
【考案の詳細な説明】
【技術分野】
【０００１】
本考案は、特に眉毛を保養することによって、健やかな眉毛が得られる眉毛保養セットに関するものである。
【背景技術】
【０００２】
よりよい肌を有するために、女性は日常保養としてパックを使っている。従来のパックは洗面乳液式、不織布式及び凝固式の三種類を有し、夫々保湿、美白、肌の活化、角質層の除去などの効果を有する。
【考案の開示】
【考案が解決しようとする課題】
【０００３】
しかしながら、前記三種類は肌に対する効果を有するが、眉毛に対して保養効果を有しないので、おしゃれな女性たちは、眉毛の不濃厚又は眉毛の化粧技術が悪いのせいで、全体の見た目が悪くなる恐れがある。
【０００４】
そこで、案出されたのが本考案であって、眉毛を保養することによって健やかな眉毛が得られる眉毛保養セットを提供することを目的としている。
【課題を解決するための手段】
【０００５】
本願の請求項１の考案は、包装袋と、第一収容皿と、第二収容皿とを有し、該包装袋に第一収容部と第二収容部が設けられ、第一収容部に第一収容皿を収容すると共に、第二収容部に第二収容皿を収容し、
前記第一収容皿の上面に二つの眉毛膜収容部が形成され、該眉毛膜収容部の一側に指差し溝が形成されると共に、内部に眉毛膜が収容され、
前記第二収容皿の上面にブラシ収容部が形成され、このブラシ収容部の内部に眉毛ブラシが設けられ、該眉毛ブラシの一側に軟質ブラシ部が設けられると共に、他側に硬質ブラシ部が設けられることを特徴とする眉毛保養セット及び、
本願の請求項２の考案は、前記第一収容皿の上部に上カバーが設けられ、該上カバーの下面に第一収容皿における眉毛膜収容部と指差し溝に押圧する位置決め部が設けられることを特徴とする請求項１に記載の眉毛保養セット及び、
本願の請求項３の考案は、前記眉毛膜は漢方の保養液、ナノマイナスイオン及び遠赤外線効果を有し、眉毛ブラシの一端に遠赤外線効果を有するゴムカバーが設けられることを特徴とする請求項１又は２に記載の眉毛保養セット、を提供する。
【考案の効果】
【０００６】
本考案は上記の課題を解決するものであり、眉毛に漢方の保養液、ナノマイナスイオン及び遠赤外線効果を有する眉毛膜を貼ることにより、濃厚、健やかな眉毛を得られるようにすることである。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る眉毛保養セットの分解斜視図であり、図２は本考案に係る眉毛保養セットの斜視図である。
【０００９】
図１及び図２に示すように、本考案に係る眉毛保養セットは包装袋（１０）と、第一収容皿（２０）と、第二収容皿（３０）と、上カバー（４０）とを有し、該包装袋（１０）に第一収容部（１１）と第二収容部（１２）が設けられ、第一収容部（１１）に第一収容皿（２０）と上カバー（４０）を収容すると共に、第二収容部（１２）に第二収容皿（３０）を収容する。
【００１０】
前記第一収容皿（２０）の上面に二つの眉毛膜収容部（２１）（２２）が形成され、該眉毛膜収容部（２１）（２２）の一側に指差し溝（２１１）（２２１）が形成されると共に、内部に漢方の保養液、ナノマイナスイオン及び遠赤外線効果を有する眉毛膜（２３）（２４）が収容される。
【００１１】
前記第二収容皿（３０）の上面にブラシ収容部（３１）が形成され、このブラシ収容部（３１）の内部に遠赤外線効果を有する眉毛ブラシ（３２）が設けられ、該眉毛ブラシ（３２）の一側に軟質ブラシ部（３２１）が設けられると共に、他側に硬質ブラシ部（３２２）が設けられ、一端に遠赤外線効果を有するゴムカバー（３２３）が設けられる。
【００１２】
前記上カバー（４０）の下面に第一収容皿（２０）における眉毛膜収容部（２１）（２２）と指差し溝（２１１）（２２１）に押圧する位置決め部（４１）（４２）が設けられる。
【００１３】
本考案に係る眉毛保養セットを使用する場合、眉毛ブラシ（３２）における遠赤外線効果を有するゴムカバー（３２３）で眉毛の皮膚をマッサージすると共に、軟質ブラシ部（３２１）と硬質ブラシ部（３２２）で眉毛を片付ける。
【００１４】
眉毛を片付けた後、眉毛膜（２３）（２４）を眉毛に一定の時間に貼ることにより、眉毛が栄養を充分に吸収し、眉毛膜（２３）（２４）を取った後、清水によって眉毛を洗うだけで良い。
【産業上の利用可能性】
【００１５】
本考案は上記の構成を有するので、眉毛に漢方の保養液、ナノマイナスイオン及び遠赤外線効果を有する眉毛膜を貼ることにより、濃厚、健やかな眉毛を得ることができる。
【図面の簡単な説明】
【００１６】
【図１】本考案に係る眉毛保養セットの分解斜視図である。
【図２】本考案に係る眉毛保養セットの斜視図である。
【符号の説明】
【００１７】
１０    包装袋
１１    第一収容部
１２    第二収容部
２０    第一収容皿
２１    眉毛膜収容部
２１１  指差し溝
２２    眉毛膜収容部
２２１  指差し溝
２３    眉毛膜
２４    眉毛膜
３０    第二収容皿
３１    ブラシ収容部
３２    眉毛ブラシ
３２１  軟質ブラシ部
３２２  硬質ブラシ部
３２３  ゴムカバー
４０    上カバー
４１    位置決め部
４２    位置決め部
【図１】
0003104428.tif 000003
【図２】
0003104428.tif 000004